(57)【特許請求の範囲】
【請求項１】
コンビネーションスチームオーブンに設置され、その吸入管を開閉する吸入管開閉装置において、
スチームオーブンの装着部に設置され、略「コ」字状に形成されて収容空間を構成すると共に、前面には第１回転孔が貫設され、一側面上部にはガイド部が設けられたブラケットと、
ブラケットの収容空間に設置され、ブラケットの第１回転孔に対応する第２回転孔が形成された補助ブラケットと、
ブラケットの前面に設置され、第１回転孔及び第２回転孔に挿入される回転軸が設けられた駆動モーターと、
駆動モーターの回転軸に固定される第１挿合孔が中央に形成されて回転軸に連動するように構成され、上部及び下部には第１センサーによる感知のための感知切欠部がそれぞれ形成されることで、回転軸が１８０°回転するごとに停止するように構成された回転操作カムと、
第２挿合孔が偏心状に形成され、駆動モーターの回転軸に固定される駆動カムと、
ブラケットと補助ブラケットの間にヒンジ結合され、偏心状で回転する駆動カムによってヒンジ軸を中心に回転作動する回転作動部と、
吸入管の上側に被せられ、回転作動部によって昇降して吸入管を開閉する開閉カバーとを備え、
開閉カバーが、上部には弧状の閉鎖具が設けられ、閉鎖具の下側方向には空気吸入のための空気吸入孔が両側面に形成され、下端にはヒンジ軸を中心に回転作動する回転作動部にかかって昇降する第１結合突起及び第２結合突起と、ブラケットのガイド部によって案内されて円滑に昇降するように第３結合突起とが結合されることによって吸入管が開閉する
ことを特徴とするコンビネーションスチームオーブンの吸入管開閉装置。
【発明の詳細な説明】
【技術分野】
【０００１】
本発明は、コンビネーションスチームオーブンの吸入管開閉装置に関する。詳しくは、吸入管に熔接するか貫設する必要なしに、吸入管の外側に簡単に設置することができて生産性を向上させることができるだけでなく、作動状態の確認が容易であることで、異常有無のチェックや故障発生の際に迅速な維持保守が可能であり、吸入管の開閉作動を誤作動なしにすることができるコンビネーションスチームオーブンの吸入管開閉装置に関する。
【背景技術】
【０００２】
一般に、加熱調理器を用いて飲食物を加熱するときには多量の水蒸気が発生し、ドアの内側板に水蒸気が結ぶか壁面に水滴が結んで流れる現象が発生する。そして、このような凝縮現象が発生すれば、調理が正常にできないため、通常の加熱調理器には、これを防止するために、適量の空気を調理室の内部に流入させた後、排気口を通じて排出させる構成が備えられている。
【０００３】
一方、調理室の内部に流入する空気は、主に電装室の後面に備えられた冷却ファンによって生成された空気の一部がマグネトロンから発生した熱を冷やした後、ダクトを通して調理室の内部に流入した後、調理室に溜まっている水蒸気とともに調理室の後面部に形成された排気口を通じて排出するように構成される。
したがって、加熱調理器で飲食物を調理するときには、前記のように水蒸気を排出する方法を採択しているが、多機能加熱調理装置で飲食物を調理するときには、調理室の内部の熱損室を減らすために、調理室に連結されて外側に構成された吸入管の上部に別途のキャップを構成した後、キャップを昇降させることで吸入管を選択的に開閉するように構成している。
このときのキャップの昇降方法は、外側に構成された吸入管の外側にブラケットを熔接で設置した後、ブラケットにモーターを固定設置し、モーターの回転軸と前記回転軸によって回転作動するカムを前記吸入管の内部に設置した後、吸入管の内部に設置されたカムと吸入管の上部に構成されたキャップの間に連結リンクを設けることで、カムの回転によってキャップが昇降するように構成されている。
【０００４】
しかし、このような従来の方法でキャップを昇降させる構成によれば、ブラケットの設置のために吸入管の外側に熔接を行わなければならないため、製品の組立てに熔接を行わなければならない構造によって生産性が低下する問題点があるだけでなく、熔接によって製品が変形するおそれがあった。
また、吸入管の内部に回転軸とカムを設置し、さらに連結リンクを設置しなければならない複雑な構成によって組立て工程がややこしくて製作時間及び製作コストが大きくなる問題点があり、故障発生の際、構成品の分解や組立てが難しくて維持保守が難しくなる問題点があった。
【発明の概要】
【発明が解決しようとする課題】
【０００５】
そこで、本発明は、上記問題点を解決するために、吸入管に熔接するか貫設する必要なしに吸入管の外側に簡単に設置することができ、スチームを強制排出するための空気吸入構造の製作及び施工を易しくして、生産性を向上させることができるコンビネーションスチームオーブンの吸入管開閉装置を提供することを課題とする。
また、吸入管の外側に設置されて作動状態を肉眼で簡便に確認することができるので、異常有無を容易にチェックすることができるだけでなく、構成品の分解や組立てが簡単であり、故障発生の際、迅速な維持保守を成すことができるコンビネーションスチームオーブンの吸入管開閉装置を提供することも、本発明の課題である。
さらに、開閉カバーの昇降が円滑になされるように、第３結合突起を案内するガイド部によって吸入管の開閉を誤作動なしに成すことができるコンビネーションスチームオーブンの吸入管開閉装置を提供することも、本発明の課題である。
【課題を解決するための手段】
【０００６】
上記課題を達成するための本発明のコンビネーションスチームオーブンの吸入管開閉装置は、次の構成を備える。すなわち、コンビネーションスチームオーブンに設置され、その吸入管を開閉する吸入管開閉装置において、スチームオーブン２の装着部３に設置され、略「コ」字状に形成されて収容空間１１を構成すると共に、前面には第１回転孔１２が貫設され、一側面上部にはガイド部１３が設けられたブラケット１０と、ブラケット１０の収容空間１１に設置され、ブラケット１０の第１回転孔１２に対応する第２回転孔２１が形成された補助ブラケット２０と、ブラケット１０の前面に設置され、第１回転孔１２及び第２回転孔２１に挿入される回転軸３１が設けられた駆動モーター３０と、駆動モーター３０の回転軸３１に固定される第１挿合孔４１が中央に形成されて回転軸３１に連動するように構成され、上部及び下部には第１センサー４３による感知のための感知切欠部４２がそれぞれ形成されることで、回転軸３１が１８０°回転するごとに停止するように構成された回転操作カム４０と、第２挿合孔５１が偏心状に形成され、駆動モーター３０の回転軸３１に固定される駆動カム５０と、ブラケット１０と補助ブラケット１３の間にヒンジ結合され、偏心状で回転する駆動カム５０によってヒンジ軸を中心に回転作動する回転作動部６０と、吸入管１の上側に被せられ、回転作動部６０によって昇降して吸入管１を開閉する開閉カバー７０とを備え、開閉カバー７０が、上部には弧状の閉鎖具７１が設けられ、閉鎖具７１の下側方向には空気吸入のための空気吸入孔７２が両側面に形成され、下端にはヒンジ軸を中心に回転作動する回転作動部６０にかかって昇降する第１結合突起７３ａ及び第２結合突起７３ｂと、ブラケット１０のガイド部１３によって案内されて円滑に昇降するように第３結合突起７３ｃとが結合されることによって吸入管１が開閉する  ことを特徴とする。
【発明の効果】
【０００７】
本発明のコンビネーションスチームオーブンの吸入管開閉装置によると、吸入管に熔接するか貫設する必要なしに吸入管の外側に簡単に設置することができ、スチームを強制排出するための空気吸入構造の製作及び施工を易しくし、これにより生産性を向上させることができる利点がある。
また、吸入管の外側に設置されて作動状態を肉眼で簡便に確認することができ、異常有無を容易にチェックすることができるだけでなく、構成品の分解組立てが簡単であり、故障発生の際、迅速な維持保守を成すことができる利点がある。
さらに、開閉カバーの昇降が円滑になされるように第３結合突起を案内するガイド部によって吸入管の開閉を誤作動なしに成すことができる利点もある。
【図面の簡単な説明】
【０００８】
【図１】吸入管が閉鎖した状態を示すコンビネーションスチームオーブンの吸入管開閉装置の要部斜視図
【図２】吸入管が開放した状態を示すコンビネーションスチームオーブンの吸入管開閉装置の要部斜視図
【図３】コンビネーションスチームオーブンの吸入管開閉装置を示す平断面図
【図４】コンビネーションスチームオーブンの吸入管開閉装置の分解斜視図
【図５】コンビネーションスチームオーブンの吸入管開閉装置の分解斜視図
【図６】吸入管が開放した状態を示すコンビネーションスチームオーブンの吸入管開閉装置の右側面部分断面図
【図７】吸入管が閉鎖した状態を示すコンビネーションスチームオーブンの吸入管開閉装置の右側面部分断面図
【発明を実施するための形態】
【０００９】
本発明の実施例を以下に説述する。なお、実施形態は本発明の趣旨から逸脱しない範囲で適宜設計変更可能である。
本発明は空気が吸入される吸入管１を開閉することで調理室４内のスチームを強制に排出させるコンビネーションスチームオーブンの吸入管開閉装置に関するものであり、図１〜５に示すように、ブラケット１０と、補助ブラケット２０と、駆動モーター３０と、回転操作カム４０と、駆動カム５０と、回転作動部６０と、開閉カバー７０とから構成される。
【００１０】
ブラケット１０は、スチームオーブン２の外側に設置される別途の装着部３にボルト結合のような通常の方法で装着されるものであり、収容空間１１が構成されるように略「コ」字状に形成されている。
ブラケット１０の前面には駆動モーター３０の回転軸３１が挿入される第１回転孔１２が貫設されていて、一側面上部には開閉カバー７０の円滑な昇降のために上下方向に長くガイドホール１３ａが形成されたガイド部１３が構成されている。
【００１１】
ここで、前記第１回転孔１２には駆動モーター３０の回転軸３１が容易に回転運動できるように、通常のベアリング（図示せず）を設置させることもできる。
さらに、前記ブラケット１０の後面には下側方向に曲がって形成される係合突起１４が構成され、スチームオーブン２に設置される装着部３には前記係合突起１４に対応する係合孔３ａが構成されることにより、ブラケット１０を装着部３に容易に設置することができる構成を製作することもできる。
【００１２】
前記ガイド部１３が設置されたブラケット１０の上部一側には、回転作動部６０の回転運動の際、前記回転作動部６０がブラケット１０の上部にかかる現象によって開閉カバー７０が吸入口１を閉鎖することができない問題が発生しないように装着切欠部１５をさらに備えることが好ましい。
【００１３】
補助ブラケット２０は、前記ブラケット１０の収容空間１１に設置されるもので、駆動モーター３０の回転軸３１の端部が装着されるのはもちろんのこと、前記回転軸３１に結合される回転操作カム４０と駆動カム５０が前記ブラケット１０と補助ブラケット２０の間に位置して外部に露出されないようにブラケット１０の前面板１０ａから離隔して設置される。
前記補助ブラケット２０にはブラケット１０の第１回転孔１２に対応する第２回転孔２１が貫設されることにより、駆動モーター３０の回転軸３１が容易に挿設されるように構成され、前記第２回転孔２１には駆動モーター３０の回転軸３１が容易に回転運動できるように通常のベアリング（図示せず）が設置されることもできる。
【００１４】
駆動モーター３０は、前記ブラケット１０に構成された前面板１０ａの前面に設置されるもので、ブラケット１００の第１回転孔１２と補助ブラケット２０の第２回転孔２１に順次挿入される回転軸３１を備える。
前記駆動モーター３０の設置結合は、前記ブラケット１０の前面板１０ａに第１設置孔１６が貫設され、前記駆動モーター３０には第１設置孔１６に対応する第２設置孔３２が貫設された設置板３３を構成することで通常のボルト結合によって易しく成すことができ、例示したボルト結合の外にも多様な結合方法で容易に成すことができる。
【００１５】
回転操作カム４０は、中央に第１挿合孔４１が形成されて前記駆動モーター３０の回転軸３１に固定されることで、回転運動する回転軸３１に連動するもので、ブラケット１０と補助ブラケット２０の間に位置する。
【００１６】
前記回転操作カム４０の上部と下部には感知切欠部４２がそれぞれ形成されている。このような感知切欠部４２は第１センサー４３によって感知できるようにする作用し、よって前記駆動モーター３０の回転軸３１が１８０°だけ回転するごとに停止するように構成することができる。
このため、前記回転軸３１の回転作動に連動する回転操作カム４０は駆動モーター３０の作動により１８０°の間隔で回転運動と停止を繰り返すようになる。
【００１７】
前記第１センサー４３は回転操作カム４０の下側に設置される通常のリミットスイッチのようなセンサーで、補助ブラケット２０の前面に設置することで簡単に構成することができる。第１センサー４３の設置方法は、前記補助ブラケット２０の前面に第３設置孔２２を貫設し、前記第１センサー４３には第３設置孔２２に対応する第４設置孔４４を貫設することで通常のボルト結合で易しく成すことができる。
【００１８】
駆動カム５０は、第２挿合孔５１を偏心状に構成して前記駆動モーター３０の回転軸３１に固定結合されるもので、円形に形成されて回転軸３１の回転によって偏心状で回転して回転作動部６０を上下方向に回転運動させる作用をする。
前記回転操作カム４０と駆動カム５０が結合される駆動モーター３０の回転軸には、前記回転操作カム４０と駆動カム５０が一定間隔で固定設置されてエラーなしに円滑に作動するように間隔維持具８０がさらに結合構成されることもできる。このような間隔維持具８０は通常のナットを固定結合することだけでも易しく設置することができる。
【００１９】
回転作動部６０は、前記ブラケット１０と補助ブラケット２０の間に構成されるもので、ヒンジで結合されることにより、偏心状で回転する駆動カム５０によってヒンジ軸を中心に回転作動するように構成されている。
前記回転作動部６０の形状は、ブラケット１０が形成されたガイド部１３にかかる現象が発生しないように前方がＵ字状に分岐して形成されて、開閉カバー７０の下端前後方に結合された第１及び第２結合突起７３ａ、７３ｂを押し上げるように構成される。
【００２０】
前記回転作動部６０の下側には、感知突部６１をさらに突設し、前記回転作動部６０の下側には第２センサー６２を設置することで、第２センサー６２の感知によって前記回転作動部６０が下側に移動することを防止する限界点を設定することもできる。
前記第２センサー６２は前記第１センサー４３と同様に通常のリミットスイッチのようなセンサーで、回転作動部６０の下側に設置されるようにブラケット１０に設けられた前面板１０ａの前面に設置することで簡単に構成することができる。第２センサー６２の設置方法は、前記ブラケット１０の前面板１０ａに第５設置孔１７を貫設し、第２センサー６２には第５設置孔１７に対応する第６設置孔６３を貫設することで通常のボルト結合で易しく成すことができ、より容易な設置及び円滑な作動のために、前記回転作動部６０がブラケット１０と補助ブラケット２０にヒンジで結合される付近に結合することが好ましい。
【００２１】
開閉カバー７０は、吸入管１の上側に被せられてヒンジ軸を中心に回転作動する回転作動部６０によって昇降することで吸入管１を開閉するもので、上部内側に弧状の突設置された閉鎖具７１を構成したことに特徴がある。この際、前記閉鎖具７１は吸入管１の容易な閉鎖のために伸縮性のシリコンまたはゴム材で製作することが好ましい。
前記閉鎖具７１の下側方向には、空気吸入のための空気吸入孔７２を両側面に貫設する。これにより、前記開閉カバー７０が回転作動部６０によって上昇すれば、前記空気吸入孔７２を通じて吸入管１に空気が流入する作用が起こる。
【００２２】
前記開閉カバー７０の下端には、ヒンジ軸を中心に回転作動する回転作動部６０にかかって昇降する第１及び第２結合突起７３ａ、７３ｂと、ブラケット１０のガイド部１３に形成されたガイドホール１３ａによって案内されて円滑に昇降するようにする第３結合突起７３ｃとを結合して構成する。ここで、前記第１及び第２結合突起７３ａ、７３ｂは開閉カバー７０の前方と後方に備えられてヒンジ軸を中心に回転作動する回転作動部６０によって昇降することができるように構成されている。
また、前記第３結合突起７３ｃはガイド部１３が備えられた一側方向に構成される。この際、前記第３結合突起７３ｃはガイド部１３に形成されたガイドホール１３ａに挿入されるように構成されているので、昇降の際、開閉カバー７０のかかり現象または傾く現象なしに円滑に作動することになる。
前記第１、第２及び第３結合突起７３ａ、７３ｂ、７３ｃの結合方法は、前記開閉カバー７０の下端にそれぞれの第７設置孔７４を形成し、第１、第２及び第３結合突起７３にはネジ部（図示せず）をそれぞれ形成することでボルト結合方法などによって易しく成すことができる。
【００２３】
上述の構成による本発明装置の作用は、次の通りである。
まず、本発明のコンビネーションスチームオーブンの吸入管開閉装置を備えたスチームオーブン２を用いて調理を始めれば、内部にスチームがいっぱいになって凝縮する現象が発生することになる。この際には、制御部（図示せず）の制御によって自動で吸入管１が開閉し、調理室４の内部に設置されたファンの稼動によって外部の空気が調理室４の内部に流入し、このような作用によって調理室４にいっぱいになったスチームの一部が強制に排出される作用が起こる。
【００２４】
以下、このような作用を、図６または７に基づいて詳細に説明する。
上述のように調理室４にスチームがいっぱいになってスチームが凝縮する現象が起これば、図６に示すように、制御部（図示せず）の制御によって駆動モーター３０が作動して回転軸３１が時計方向に回転運動する。
そして、前記回転軸３１に結合構成された回転操作カム４０と駆動カム５０が回転軸３１に連動して回転するようになる。この際には、前記回転操作カム４０が偏心状で回転することになるので、偏心状で回転する前記回転操作カム４０によってブラケット１０と補助ブラケット２０の間にヒンジで結合された回転作動部６０がヒンジ軸を中心に時計方向に回転して、開閉カバー７０に設けられた第１及び第２結合突起７３ａ、７３ｂを押し上げる作用をすることになり、これにより前記開閉カバー７０が上昇する。
【００２５】
そのため、吸入管１を塞いでいた開閉カバー７０の閉鎖具７１が吸入管１から離隔し、開閉カバー７０の両側に形成された空気吸入孔７２を通じて外部の空気が調理室４の内部に流入するようになる。ここで、外部空気の流入は調理室４の内部に構成されたファン５がいつも稼動されることで、前記ファン５の吸入力によってなされるものである。
また、上記のように開閉カバー７０が上昇するときには、ブラケット１０に形成されたガイド部１３のガイドホール１３ａに開閉カバー７０の下端一側に設けられた第３結合突起７３ｃが挿入されたままで案内されて上昇するので、前記開閉カバー７０がかかるか傾く現象なしに容易に上昇することができるようになる。
【００２６】
さらに、このような開閉カバー７０の上昇動作は、回転操作カム４０に形成された感知切欠部４２に第１センサー４３が接するまで継続され、前記感知切欠部４２課題１センサー４３が接すれば、駆動モーター３０の作動が停止して吸入管１が開放状態を維持するようになる。
【００２７】
一方、調理室４内にいっぱいになったスチームが一部排出されて空気の流入が不要になれば、前述したものと反対の作用が発生して吸入管１が閉鎖するようになる。これをより詳細に説明すれば、図７に示すように、制御部の制御によって駆動モーター３０が作動して回転軸３１がもう一度時計方向に回転運動する。
そして、前記回転軸３１に結合構成された回転操作カム４０と駆動カム５０が回転軸３１に連動して回転運動することになる。この際には、前記回転操作カム４０が偏心状で回転するので、ブラケット１０と補助ブラケット２０の間にヒンジで結合された回転作動部６０がヒンジ軸を中心に反時計方向に回転運動するようになる。
【００２８】
さらに、この時には、偏心状で回転する前記回転操作カム４０による回転作動部６０を押し上げる力がなくないため、開閉カバー７０に設けられた第１及び第２結合突起７３ａ、７３ｂを押し上げる力がなくなって開閉カバー７３が下降し、これにより、開放していた吸入管１が開閉カバー７０に設けられた閉鎖具７１によって塞がることで、調理室４の内部にそれ以上の外部空気が流入できなくなる。
【００２９】
また、前記のように開閉カバー７０が下降するときには、ブラケット１０に設けられたガイド部１３のガイドホール１３ａに開閉カバー７０の下端一側に設けられた第３結合突起７３が挿入されたままで案内されて下降するので、開閉カバー７０がかかるか傾く現象なしに容易に下降するようになる。ここで、前記回転作動部６０がブラケット１０の上部にかかることは前記ブラケット１０の上部に形成された装着切欠部１５（図４に図示）によって防止することができるので、回転作動部６０の回転運動によるかかり現象なしに容易な作動を成すことができる。
さらに、このような開閉カバー７０の下降動作は回転操作カム４０に形成された感知切欠部４２に第１センサー４３が接するまで継続され、前記感知切欠部４２と第１センサー４３が接すれば、駆動モーター３０の作動が停止して吸入管１が閉鎖した状態で維持される。
【００３０】
また、前記第１センサー４３が誤作動するなどのように予期しなかった状況によって駆動モーター３０がずっと回転をする場合には、前記回転作動部６０の下側に突設された感知突部６１が第２センサー６２に接することによって駆動モーター３０の回転を停止させる機能が提供されているので、吸入管１の開閉を誤作動なしにもっと容易になすことができる。
【００３１】
前述したように、本発明のコンビネーションスチームオーブンの吸入管開閉装置を用いれば、吸入管１に熔接するか貫設する必要なしに吸入管１の外側に簡単に設置することができるので、生産性を向上させることができるだけでなく、作動状態の確認が容易であるので、異常有無のチェックと故障発生時の迅速な維持保守が可能であり、吸入管１の開閉作動を誤作動なしに成すことができる効果がある。
【産業上の利用可能性】
【００３２】
本発明によると、吸入管に熔接するか貫設する必要なしに、吸入管の外側に簡単に設置することができて生産性を向上させることができるだけでなく、作動状態の確認が容易なので、異常有無のチェックや故障発生の際、迅速な維持保守が可能であり、吸入管の開閉作動を誤作動なしになすことができるので、産業上有用である。
【符号の説明】
【００３３】
１    吸入管
２    スチームオーブン
３    装着部
３ａ    係合孔
４    調理室
５    ファン
１０    ブラケット
１０ａ    前面板
１１    収容空間
１２    第１回転孔
１３    ガイド部
１３ａ    ガイドホール
１４    係合突起
１５    装着切欠部
１６、１７    第１、第５設置孔
２０    補助ブラケット
２１    第２回転孔
２２    第３設置孔
３０    駆動モーター
３１    回転軸
３２    第２設置孔
３３    設置板
４０    回転操作カム
４１    第１挿合孔
４２    感知切欠部
４３    第１センサー
４４    第４設置孔
５０    駆動カム
５１    第２挿合孔
６０    回転作動部
６１    感知突部
６２    第２センサー
６３    第６設置孔
７０    開閉カバー
７１    閉鎖具
７２    空気吸入孔
７３ａ、７３ｂ、７３ｃ    第１、第２、第３結合突起
７４    第７設置孔
８０    間隔維持具
【図１】
0005210425.tif 000002
【図２】
0005210425.tif 000003
【図３】
0005210425.tif 000004
【図４】
0005210425.tif 000005
【図５】
0005210425.tif 000006
【図６】
0005210425.tif 000007
【図７】
0005210425.tif 000008